(57)【要約】  本発明は、共通リソースを用いてデータの伝送を行う方法及び装置に関する。本発明に係る通信方法は、共通リソース構成情報を獲得することと、前記共通リソース構成情報に基づいて、データの伝送のための使用可能なリソースを確定することと、前記使用可能なリソースに基づいて、前記データの伝送を行うこととを含むことができる。本発明に係る他の通信方法は、共通リソース構成情報を確定することと、前記共通リソース構成情報を、１つまたは複数の端末に送信することと、前記共通リソース構成情報に基づいて、前記１つまたは複数の端末中の第１の端末とのデータの伝送を行うこととを含むことができる。本発明によって提供される解決手段は、必要になるシグナリングオーバーヘッドを回避または減少させる方法で端末のデータを伝送することができる。
2019515521.tif 000002
【特許請求の範囲】
【請求項１】
通信方法であって、
共通リソース構成情報を獲得することと、
前記共通リソース構成情報に基づいて、データの伝送のための使用可能なリソースを確定することと、
前記使用可能なリソースに基づいて、前記データの伝送を行うこととを含む、前記通信方法。
【請求項２】
前記共通リソース構成情報を獲得することは、
ネットワークプロトコルの事前定義に基づいて、前記共通リソース構成情報を確定することを含むことを特徴とする
請求項１に記載の方法。
【請求項３】
前記共通リソース構成情報を獲得することは、
アクセスネットワークエンティティから前記共通リソース構成情報を受信することを含むことを特徴とする
請求項１に記載の方法。
【請求項４】
前記共通リソース構成情報は、一つの時間周期内に分割される１つまたは複数の構成情報項目を含み、各構成情報項目は、リソース識別子、時間領域リソース、周波数領域リソース、変調符号化方式、及び伝送ブロックサイズのうちの１つまたは複数を含むことを特徴とする
請求項１に記載の方法。
【請求項５】
前記データの伝送のための使用可能なリソースを確定することは、
端末識別子に基づいて、前記データの伝送が位置する伝送時間周期を確定することと、
前記端末識別子に基づいて、前記共通リソース構成情報中の一つの対応する構成情報項目を確定することとを含むことを特徴とする
請求項４に記載の方法。
【請求項６】
前記使用可能なリソースに基づいて、前記データの伝送を行うことは、
前記伝送時間周期内に、前記一つの対応する構成情報項目に含まれる構成を用いて、前記データの伝送を行うことを含むことを特徴とする
請求項５に記載の方法。
【請求項７】
前記端末識別子に基づいて、前記データの伝送が位置する伝送時間周期を確定することは、
公式：Ｔ＿Ｄ  ｍｏｄ  Ｔ＝ＵＥ＿ＩＤ  ｍｏｄ  Ｔ
によって行われ、
ここで、Ｔ＿Ｄは前記伝送時間周期を表し、Ｔは端末の非連続受信周期を表し、ＵＥ＿ＩＤは端末識別子を表すことを特徴とする
請求項５に記載の方法。
【請求項８】
前記端末識別子に基づいて、前記共通リソース構成情報中の一つの対応する構成情報項目を確定することは、
公式：Ｉ＝ＵＥ＿ＩＤ  ｍｏｄ  Ｎ
によって行われ、
ここで、Ｉはリソース識別子を表し、ＵＥ＿ＩＤは端末識別子を表し、Ｎは前記共通リソース構成情報に含まれる構成情報項目の総数を表すことを特徴とする
請求項５に記載の方法。
【請求項９】
前記データの伝送のための使用可能なリソースを確定することは、
前記共通リソース構成情報から、ランダムで一つの構成情報項目を確定することを含むことを特徴とする
請求項４に記載の方法。
【請求項１０】
前記使用可能なリソースに基づいて、前記データの伝送を行うことは、
前記使用可能なリソースにてダウンリンクデータを受信することを含むことを特徴とする
請求項１に記載の方法。
【請求項１１】
前記ダウンリンクデータは、端末識別子を含むことを特徴とする
請求項１０に記載の方法。
【請求項１２】
前記端末識別子に基づいて、前記ダウンリンクデータが端末自身に送信されるものであるかどうかを判断することをさらに含むことを特徴とする
請求項１１に記載の方法。
【請求項１３】
前記ダウンリンクデータが、エアインタフェースユーザデータであることを特徴とする
請求項１０に記載の方法。
【請求項１４】
前記ダウンリンクデータは制御情報であり、前記方法は、
制御情報の指示に従って、エアインタフェースユーザデータを伝送するためのリソース構成を確定することと、
前記リソース構成に基づいて、前記エアインタフェースユーザデータを受信することとをさらに含むことを特徴とする
請求項１０に記載の方法。
【請求項１５】
前記使用可能なリソースに基づいて、前記データの伝送を行うことは、
前記使用可能なリソースにてアップリンクデータを送信することを含むことを特徴とする
請求項１に記載の方法。
【請求項１６】
前記使用可能なリソースにてアップリンクデータを送信する前に、
アクセスネットワークエンティティに、共通リソース伝送のために専用されるプリアンブルコードを送信することと、
前記アクセスネットワークエンティティから、アップリンク同期調整情報が含まれる応答メッセージを受信することと、
前記アップリンク同期調整情報に基づいて、アップリンクの同期を調整することとをさらに含むことを特徴とする
請求項１５に記載の方法。
【請求項１７】
前記アップリンクデータは、端末識別子を含むことを特徴とする
請求項１５に記載の方法。
【請求項１８】
通信方法であって、
共通リソース構成情報を確定することと、
前記共通リソース構成情報を、１つまたは複数の端末に送信することと、
前記共通リソース構成情報に基づいて、前記１つまたは複数の端末中の第１の端末とのデータの伝送を行うこととを含む、前記通信方法。
【請求項１９】
コアネットワークとデータチャネルを確立することをさらに含むことを特徴とする
請求項１８に記載の方法。
【請求項２０】
前記データチャネルは、共通チャネルまたは端末専用チャネルであることを特徴とする
請求項１９に記載の方法。
【請求項２１】
前記データチャネルは、ＧＴＰ-Ｕチャネルであることを特徴とする
請求項１９に記載の方法。
【請求項２２】
前記共通リソース構成情報は、一つの時間周期内に分割される１つまたは複数の構成情報項目を含み、各構成情報項目は、リソース識別子、時間領域リソース、周波数領域リソース、変調符号化方式、伝送ブロックサイズのうちの１つまたは複数を含むことを特徴とする
請求項１８に記載の方法。
【請求項２３】
前記共通リソース構成情報を、１つまたは複数の端末に送信することは、
システム情報を介して、前記共通リソース構成情報を前記１つまたは複数の端末にブロードキャストすること、または専用シグナリングを介して、前記共通リソース構成情報を前記１つまたは複数の端末に送信することを含むことを特徴とする
請求項１８に記載の方法。
【請求項２４】
前記共通リソース構成情報に基づいて、前記１つまたは複数の端末中の第１の端末とのデータの伝送を行うことは、
前記共通リソース構成情報に基づいて、前記第１の端末にダウンリンクデータを送信することを含むことを特徴とする
請求項１８に記載の方法。
【請求項２５】
前記共通リソース構成情報に基づいて、前記第１の端末にダウンリンクデータを送信することは、
前記共通リソース構成情報に基づいて、前記ダウンリンクデータを前記第１の端末に送信するための使用可能なリソースを確定することと、
前記使用可能なリソースに基づいて、前記ダウンリンクデータを前記第１の端末に送信することとを含むことを特徴とする
請求項２４に記載の方法。
【請求項２６】
前記ダウンリンクデータを前記第１の端末に送信するための使用可能なリソースを確定することは、
前記第１の端末の端末識別子に基づいて、前記ダウンリンクデータの送信が位置する伝送時間周期を確定することと、
前記端末識別子に基づいて、前記共通リソース構成情報中の一つの対応する構成情報項目を確定することとを含むことを特徴とする
請求項２５に記載の方法。
【請求項２７】
前記使用可能なリソースに基づいて、前記ダウンリンクデータを前記第１の端末に送信することは、
前記伝送時間周期内に、前記一つの対応する構成情報項目に含まれる構成を用いて、前記ダウンリンクデータを前記第１の端末に送信することを含むことを特徴とする
請求項２６に記載の方法。
【請求項２８】
前記第１の端末の端末識別子に基づいて、前記ダウンリンクデータの送信が位置する伝送時間周期を確定することは、
公式：Ｔ＿Ｄ  ｍｏｄ  Ｔ＝ＵＥ＿ＩＤ  ｍｏｄ  Ｔ
によって行われ、
ここで、Ｔ＿Ｄは前記伝送時間周期を表し、Ｔは端末の非連続受信周期を表し、ＵＥ＿ＩＤは端末識別子を表すことを特徴とする
請求項２６に記載の方法。
【請求項２９】
前記端末識別子に基づいて、前記共通リソース構成情報中の一つの対応する構成情報項目を確定することは、
公式：Ｉ＝ＵＥ＿ＩＤ  ｍｏｄ  Ｎ
によって行われ、
ここで、Ｉはリソース識別子を表し、ＵＥ＿ＩＤは端末識別子を表し、Ｎは前記共通リソース構成情報に含まれる構成情報項目の総数を表すことを特徴とする
請求項２６に記載の方法。
【請求項３０】
前記ダウンリンクデータは、端末識別子を含むことを特徴とする
請求項２４に記載の方法。
【請求項３１】
前記ダウンリンクデータは、エアインタフェースユーザデータであることを特徴とする
請求項２４に記載の方法。
【請求項３２】
前記ダウンリンクデータは制御情報であり、前記制御情報は、エアインタフェースユーザデータを伝送するためのリソース構成を示すために用いられ、前記方法は、
前記リソース構成に基づいて、前記エアインタフェースユーザデータを前記第１の端末に送信することをさらに含むことを特徴とする
請求項２４に記載の方法。
【請求項３３】
前記エアインタフェースユーザデータは、コアネットワークと確立されたデータチャネルにて受信される、前記第１の端末に対応するダウンリンクのユーザデータに基づいて生成されることを特徴とする
請求項３１又は３２に記載の方法。
【請求項３４】
前記共通リソース構成情報に基づいて、前記１つまたは複数の端末中の第１の端末とのデータの伝送を行うことは、
前記第１の端末から前記共通リソース構成情報に基づいて送信されたアップリンクデータを受信することを含むことを特徴とする
請求項１８に記載の方法。
【請求項３５】
前記第１の端末から前記アップリンクデータを受信する前に、
前記第１の端末から共通リソース伝送のために専用されるプリアンブルコードを受信することと、
前記第１の端末にアップリンク同期調整情報が含まれる応答メッセージを送信することとをさらに含むことを特徴とする
請求項３４に記載の方法。
【請求項３６】
前記アップリンクデータは、前記第１の端末の端末識別子を含み、前記方法は、
前記アップリンクデータから前記端末識別子を識別することと、
前記端末識別子に基づいて、コアネットワークと確立されたデータチャネルにて、前記アップリンクデータに基づいて生成されたデータを送信することとをさらに含むことを特徴とする
請求項３４に記載の方法。
【請求項３７】
通信装置であって、
共通リソース構成情報を獲得するように構成されるユニットと、
前記共通リソース構成情報に基づいて、データの伝送のための使用可能なリソースを確定するように構成されるユニットと、
前記使用可能なリソースに基づいて、前記データの伝送を行うように構成されるユニットとを含む、前記通信装置。
【請求項３８】
前記共通リソース構成情報を獲得するように構成されるユニットは、
ネットワークプロトコルの事前定義に基づいて、前記共通リソース構成情報を確定するように構成されるユニットを含むことを特徴とする
請求項３７に記載の装置。
【請求項３９】
前記共通リソース構成情報を獲得するように構成されるユニットは、
アクセスネットワークエンティティから前記共通リソース構成情報を受信するように構成されるユニットを含むことを特徴とする
請求項３７に記載の装置。
【請求項４０】
前記共通リソース構成情報は、一つの時間周期内に分割される１つまたは複数の構成情報項目を含み、各構成情報項目は、リソース識別子、時間領域リソース、周波数領域リソース、変調符号化方式、伝送ブロックサイズのうちの１つまたは複数を含むことを特徴とする
請求項３７に記載の装置。
【請求項４１】
前記データの伝送のための使用可能なリソースを確定するように構成されるユニットは、
端末識別子に基づいて前記データの伝送が位置する伝送時間周期を確定するように構成されるユニットと、
前記端末識別子に基づいて前記共通リソース構成情報中の一つの対応する構成情報項目を確定するように構成されるユニットとを含むことを特徴とする
請求項４０に記載の装置。
【請求項４２】
前記使用可能なリソースに基づいて前記データの伝送を行うように構成されるユニットは、
前記伝送時間周期内に前記一つの対応する構成情報項目に含まれる構成を用いて前記データの伝送を行うように構成されるユニットを含むことを特徴とする
請求項４１に記載の装置。
【請求項４３】
前記端末識別子に基づいて、前記データの伝送が位置する伝送時間周期を確定することは、
公式：Ｔ＿Ｄ  ｍｏｄ  Ｔ＝ＵＥ＿ＩＤ  ｍｏｄ  Ｔ
によって行われ、
ここで、Ｔ＿Ｄは前記伝送時間周期を表し、Ｔは端末の非連続受信周期を表し、ＵＥ＿ＩＤは端末識別子を表すことを特徴とする
請求項４１に記載の装置。
【請求項４４】
前記端末識別子に基づいて、前記共通リソース構成情報中の一つの対応する構成情報項目を確定することは、
公式：Ｉ＝ＵＥ＿ＩＤ  ｍｏｄ  Ｎ
によって行われ、
ここで、Ｉはリソース識別子を表し、ＵＥ＿ＩＤは端末識別子を表し、Ｎは前記共通リソース構成情報に含まれる構成情報項目の総数を表すことを特徴とする
請求項４１に記載の装置。
【請求項４５】
前記データの伝送のための使用可能なリソースを確定するように構成されるユニットは、
前記共通リソース構成情報から、ランダムで一つの構成情報項目を確定するように構成されるユニットを含むことを特徴とする
請求項４０に記載の装置。
【請求項４６】
前記使用可能なリソースに基づいて前記データの伝送を行うように構成されるユニットは、
前記使用可能なリソースにてダウンリンクデータを受信するように構成されるユニットを含むことを特徴とする
請求項３７に記載の装置。
【請求項４７】
前記ダウンリンクデータは、端末識別子を含むことを特徴とする
請求項４６に記載の装置。
【請求項４８】
前記端末識別子に基づいて前記ダウンリンクデータが端末自身に送信されるものであるかどうかを判断するように構成されるユニットをさらに含むことを特徴とする
請求項４７に記載の装置。
【請求項４９】
前記ダウンリンクデータは、エアインタフェースユーザデータであることを特徴とする
請求項４６に記載の装置。
【請求項５０】
前記ダウンリンクデータは制御情報であり、前記装置は、
制御情報の指示に従ってエアインタフェースユーザデータを伝送するためのリソース構成を確定するように構成されるユニットと、
前記リソース構成に基づいて前記エアインタフェースユーザデータを受信するように構成されるユニットとをさらに含むことを特徴とする
請求項４６に記載の装置。
【請求項５１】
前記使用可能なリソースに基づいて前記データの伝送を行うように構成されるユニットは、
前記使用可能なリソースにてアップリンクデータを送信するように構成されるユニットを含むことを特徴とする
請求項３７に記載の装置。
【請求項５２】
前記使用可能なリソースにてアップリンクデータを送信する前に、
アクセスネットワークエンティティに共通リソース伝送のために専用されるプリアンブルコードを送信するように構成されるユニットと、
前記アクセスネットワークエンティティからアップリンク同期調整情報が含まれる応答メッセージを受信するように構成されるユニットと、
前記アップリンク同期調整情報に基づいてアップリンクの同期を調整するように構成されるユニットとをさらに含むことを特徴とする
請求項５１に記載の装置。
【請求項５３】
前記アップリンクデータは、端末識別子を含むことを特徴とする
請求項５１に記載の装置。
【請求項５４】
通信装置であって、
共通リソース構成情報を確定するように構成されるユニットと、
１つまたは複数の端末に前記共通リソース構成情報を送信するように構成されるユニットと、
前記共通リソース構成情報に基づいて、前記１つまたは複数の端末中の第１の端末とのデータの伝送を行うように構成されるユニットとを含む、前記通信装置。
【請求項５５】
コアネットワークとデータチャネルを確立するように構成されるユニットをさらに含むことを特徴とする
請求項５４に記載の装置。
【請求項５６】
前記データチャネルは、共通チャネルまたは端末専用チャネルであることを特徴とする
請求項５５に記載の装置。
【請求項５７】
前記データチャネルは、ＧＴＰ-Ｕチャネルであることを特徴とする
請求項５５に記載の装置。
【請求項５８】
前記共通リソース構成情報は、一つの時間周期内に分割される１つまたは複数の構成情報項目を含み、各構成情報項目は、リソース識別子、時間領域リソース、周波数領域リソース、変調符号化方式、伝送ブロックサイズのうちの１つまたは複数を含むことを特徴とする
請求項５４に記載の装置。
【請求項５９】
前記共通リソース構成情報を、１つまたは複数の端末に送信するように構成されるユニットは、
システム情報を介して、前記共通リソース構成情報を前記１つまたは複数の端末にブロードキャストし、または専用シグナリングを介して、前記共通リソース構成情報を前記１つまたは複数の端末に送信するように構成されるユニットを含むことを特徴とする
請求項５４に記載の装置。
【請求項６０】
前記共通リソース構成情報に基づいて、前記１つまたは複数の端末中の第１の端末とのデータの伝送を行うように構成されるユニットは、
前記共通リソース構成情報に基づいて、前記第１の端末にダウンリンクデータを送信するように構成されるユニットを含むことを特徴とする
請求項５４に記載の装置。
【請求項６１】
前記共通リソース構成情報に基づいて、前記第１の端末にダウンリンクデータを送信するように構成されるユニットは、
前記共通リソース構成情報に基づいて、前記ダウンリンクデータを前記第１の端末に送信するための使用可能なリソースを確定するように構成されるユニットと、
前記使用可能なリソースに基づいて、前記ダウンリンクデータを前記第１の端末に送信するように構成されるユニットとを含むことを特徴とする
請求項６０に記載の装置。
【請求項６２】
前記ダウンリンクデータを前記第１の端末に送信するための使用可能なリソースを確定するように構成されるユニットは、
前記第１の端末の端末識別子に基づいて、前記ダウンリンクデータの送信が位置する伝送時間周期を確定するように構成されるユニットと、
前記端末識別子に基づいて、前記共通リソース構成情報中の一つの対応する構成情報項目を確定するように構成されるユニットとを含むことを特徴とする
請求項６１に記載の装置。
【請求項６３】
前記使用可能なリソースに基づいて、前記ダウンリンクデータを前記第１の端末に送信するように構成されるユニットは、
前記伝送時間周期内に、前記一つの対応する構成情報項目に含まれる構成を用いて、前記ダウンリンクデータを前記第１の端末に送信するように構成されるユニットを含むことを特徴とする
請求項６２に記載の装置。
【請求項６４】
前記第１の端末の端末識別子に基づいて、前記ダウンリンクデータの送信が位置する伝送時間周期を確定することは、
公式：Ｔ＿Ｄ  ｍｏｄ  Ｔ＝ＵＥ＿ＩＤ  ｍｏｄ  Ｔ
によって行われ、
ここで、Ｔ＿Ｄは前記伝送時間周期を表し、Ｔは端末の非連続受信周期を表し、ＵＥ＿ＩＤは端末識別子を表すことを特徴とする
請求項６２に記載の装置。
【請求項６５】
前記端末識別子に基づいて、前記共通リソース構成情報中の一つの対応する構成情報項目を確定することは、
公式：Ｉ＝ＵＥ＿ＩＤ  ｍｏｄ  Ｎ
によって行われ、
ここで、Ｉはリソース識別子を表し、ＵＥ＿ＩＤは端末識別子を表し、Ｎは前記共通リソース構成情報に含まれる構成情報項目の総数を表すことを特徴とする
請求項６２に記載の装置。
【請求項６６】
前記ダウンリンクデータは、端末識別子を含むことを特徴とする
請求項６０に記載の装置。
【請求項６７】
前記ダウンリンクデータは、エアインタフェースユーザデータであることを特徴とする
請求項６０に記載の装置。
【請求項６８】
前記ダウンリンクデータは制御情報であり、前記制御情報は、エアインタフェースユーザデータを伝送するためのリソース構成を示すために用いられ、前記装置は、
前記リソース構成に基づいて、前記エアインタフェースユーザデータを前記第１の端末に送信するように構成されるユニットをさらに含むことを特徴とする
請求項６０に記載の装置。
【請求項６９】
前記エアインタフェースユーザデータは、コアネットワークと確立されたデータチャネルにて受信される、前記第１の端末に対応するダウンリンクのユーザデータに基づいて生成されることを特徴とする
請求項６７又は６８に記載の装置。
【請求項７０】
前記共通リソース構成情報に基づいて、前記１つまたは複数の端末中の第１の端末とのデータの伝送を行うように構成されるユニットは、
前記第１の端末から前記共通リソース構成情報に基づいて送信されたアップリンクデータを受信するように構成されるユニットを含むことを特徴とする
請求項５４に記載の装置。
【請求項７１】
前記第１の端末から前記アップリンクデータを受信する前に、
前記第１の端末から共通リソース伝送のために専用されるプリアンブルコードを受信するように構成されるユニットと、
前記第１の端末にアップリンク同期調整情報が含まれる応答メッセージを送信するように構成されるユニットとをさらに含むことを特徴とする
請求項７０に記載の装置。
【請求項７２】
前記アップリンクデータは、前記第１の端末の端末識別子を含み、前記装置は、
前記アップリンクデータから前記端末識別子を識別するように構成されるユニットと、
前記端末識別子に基づいて、コアネットワークと確立されたデータチャネルにて、前記アップリンクデータに基づいて生成されたデータを送信するように構成されるユニットとをさらに含むことを特徴とする
請求項７０に記載の装置。
【請求項７３】
通信装置であって、
メモリと、
前記通信装置が請求項１乃至３６のいずれか１項の請求項に記載の方法を実行することができるように、前記メモリーに記憶される指令を実行するように構成されるプロセッサとを含む、前記通信装置。
【請求項７４】
コンピュータプログラム製品であって、
請求項１至３６のいずれか１項に記載の方法を実現するために、１つまたは複数のプロセッサによって実行される指令が記憶されるコンピュータ読み取り可能な媒体を含む、前記コンピュータプログラム製品。
【発明の詳細な説明】
【技術分野】
【０００１】
本発明は、無線通信技術に関し、具体的には、共通リソースを用いてデータの伝送を行うための方法及び装置に関する。
【背景技術】
【０００２】
既存の汎用移動通信システム（ＵＭＴＳ）またはロング・ターム・エボリューション（ＬＴＥ）システムにおいて、端末がデータの伝送（例えば、端末の特有データを受信または送信する）を行おうとする場合、まずネットワークと無線リソース制御（ＲＲＣ）シグナリング接続を確立して、ＲＲＣ接続状態に入り、専用のデータのベアラを確立する必要がある。データが受信または送信された後、端末は、ネットワークと協働してＲＲＣ接続解放プロセスを実行する必要がある。
【０００３】
上記から分かるように、端末がデータを受信または送信する時、特に、少量のデータしか受信または送信する必要がない時、シグナリングオーバーヘッドが比較的に大きい。そして、データを受信または送信しようとする端末が多い場合、ネットワーク上で多数のＲＲＣシグナリングのインタラクションが発生することになる。このような状況は、いずれもネットワークに酷いシグナリング負担をもたらす。
【０００４】
従って、本技術分野では、シグナリングオーバーヘッドを回避または減少させる方法で端末のデータ伝送を行うことができる解決手段が必要である。
【発明の概要】
【発明が解決しようとする課題】
【０００５】
本発明は、共通リソースを用いてデータの伝送を行うための方法及び装置を提供する。
【課題を解決するための手段】
【０００６】
本発明に係る通信方法は、共通リソース構成情報を獲得することと、前記共通リソース構成情報に基づいて、データの伝送のための使用可能なリソースを確定することと、前記使用可能なリソースに基づいて、前記データの伝送を行うこととを含むことができる。
【０００７】
本発明に係る他の通信方法は、共通リソース構成情報を確定することと、前記共通リソース構成情報を、１つまたは複数の端末に送信することと、前記共通リソース構成情報に基づいて、前記１つまたは複数の端末中の第１の端末とのデータの伝送を行うこととを含むことができる。
【０００８】
本発明に係る通信装置は、共通リソース構成情報を獲得するように構成されるユニットと、前記共通リソース構成情報に基づいて、データの伝送のための使用可能なリソースを確定するように構成されるユニットと、前記使用可能なリソースに基づいて、前記データの伝送を行うように構成されるユニットとを含むことができる。
【０００９】
本発明に係る他の通信装置は、共通リソース構成情報を確定するように構成されるユニットと、１つまたは複数の端末に前記共通リソース構成情報を送信するように構成されるユニットと、前記共通リソース構成情報に基づいて、前記１つまたは複数の端末中の第１の端末とのデータの伝送を行うように構成されるユニットとを含むことができる。
【００１０】
本発明に係る他の通信装置は、メモリと、前記メモリーに記憶される指令を実行することで、前記通信装置が本発明の記載による方法を実行するようにするプロセッサとを含むことができる。
【００１１】
本発明に係るコンピュータプログラム製品は、本発明の記載による方法を実行するために１つまたは複数のプロセッサによって実行される指令が記憶されるコンピュータ読み取り可能な媒体を含むことができる。
【図面の簡単な説明】
【００１２】
【図１】本発明に係る実施例の共通リソースを用いてデータの伝送を行うための方法のフローチャートである。
【図２】本発明に係る実施例の共通リソースを用いてデータの伝送を行うための方法のフローチャートである。
【図３】本発明に係る実施例の共通リソースを用いてデータの伝送を行うためのインタラクションの概略図である。
【図４】本発明に係る実施例の共通リソースを用いてデータの伝送を行うためのインタラクションの概略図である。
【図５】本発明に係る実施例の共通リソースを用いてデータの伝送を行うためのインタラクションの概略図である。
【図６】本発明に係る実施例の共通リソースを用いてデータの伝送を行うためのインタラクションの概略図である。
【図７】本発明に係る実施例の通信装置の概略図である。
【図８】本発明に係る実施例の通信装置の概略図である。
【図９】本発明に係る実施例の通信装置の概略図である。
【発明を実施するための形態】
【００１３】
以下、図面に合わせた詳細な記述によって、本発明の上述した及び他の特異点、特徴、利点及び有益点がより明らかになる。
【００１４】
本発明は、共通リソースを用いて端末のデータの伝送を行うことを提供することによって、必要なシグナリングオーバーヘッドを回避または減少させる。例えば、本発明によって提案された解決手段によって、端末は、アイドルモードまたはＲＲＣ接続状態でデータの伝送を行うことができる。
【００１５】
図１は、本発明に係る実施例の共通リソースを用いてデータの伝送を行うための方法１００のフローチャートである。方法１００は、例えば、端末で実行することができる。
【００１６】
Ｓ１１０において、共通リソース構成情報を獲得することができる。共通リソース構成情報は、ネットワークプロトコルによって事前定義されたものであっても良い。従って、端末が、ネットワークプロトコルの事前定義に基づいて、共通リソース構成情報を確定することができる。なお、共通リソース構成情報は、ネットワークによって事前構成されたものであることもできる。例えば、端末は、アクセスネットワークエンティティから共通リソース構成情報を受信することができる。
【００１７】
共通リソース構成情報は、一つの時間周期内に、異なる端末の間で共用されるリソースの組み合わせを規定することに用いられることができる。ここでの時間周期は、一つのフレームまたは他の類似するいずれの周期的な期間を指してもよい。共通リソース構成情報は、時間領域リソース、周波数領域リソース、変調符号化方式、伝送ブロックサイズ等のうちの１つまたは複数を含むことができ、また、他のいずれのデータの伝送に利用されるリソースを含むこともできる。共通リソース構成情報は、一つの時間周期内に分割される１つまたは複数の構成情報項目を含むことができる。各構成情報項目は、例えば、リソース識別子、時間領域リソース、周波数領域リソース、変調符号化方式、伝送ブロックサイズ等のうちの１つまたは複数のような対応する構成を含むことができる。表１は、共通リソース構成情報の例示的な構造を示している。
【表１】
2019515521.tif 000003
【００１８】
表１に示されている共通リソース構成情報は、それぞれリソース識別子１、２、３、４によって示されるＮ＝４個の構成情報項目を含むことができる。各構成情報項目は、リソース識別子及び時間領域リソース、周波数領域リソース、変調符号化方式、伝送ブロックサイズを含む。例えば、第１の構成情報項目は、リソース識別子が１であり、時間領域リソースがＴ１〜Ｔ２であり、周波数領域リソースがＦ１〜Ｆ２であり、変調符号化方式がＭ１であり、伝送ブロックサイズがＳ１である。表１において、時間領域リソースをＴ１〜Ｔ２及びＴ３〜Ｔ４の二つの時間帯に分割され、この二つの時間帯は、時間的に連続的であっても、非連続的であってもよい。なお、本発明は、実際の応用に応じて、時間領域リソースを任意の多数の時間帯に分割することもできる。表１において、周波数領域リソースをＦ１〜Ｆ２及びＦ３〜Ｆ４の二つの周波数帯域に分割して、この二つの周波数帯域は、周波数が連続的であっても、非連続的であってもよい。なお、本発明は、実際の応用に応じて、周波数領域リソースをいずれの多数の周波数帯域に分割することもできる。表１には、変調符号化方式がＭ１、Ｍ２及びＭ３を含み、及び伝送ブロックサイズがＳ１及びＳ２を含むことを示しているが、実際の応用に応じて、共通リソース構成情報は、任意の他のタイプの変調符号化方式及び任意の他の伝送ブロックサイズを含むこともできる。
【００１９】
表１に示されているのは、ただ共通リソース構成情報の例示的な構成である。実際には、本発明によると、共通リソース構成情報は、任意の他の構成を採用することができ、上記に示されているリソースのうちの１つまたは複数を選択的に含むか、または示されていない任意の他のリソースを含むことができ、また、リソースごとに対して、任意の他の分割方式または数値を定義することもできる。
【００２０】
Ｓ１２０において、共通リソース構成情報に基づいて、データの伝送のための使用可能なリソースを確定することができる。データの伝送は、アクセスネットワークエンティティから端末へのダウンリンクデータの伝送であってもよいし、または、端末からアクセスネットワークエンティティへのアップリンクデータの伝送であってもよい。端末は、所定の規則に従って、共通リソース構成情報に基づいて、ダウンリンクデータの伝送またはアップリンクデータの伝送に使用可能なリソースを確定することができる。
【００２１】
Ｓ１３０において、端末は、確定された使用可能なリソースに基づいて、データの伝送を行うことができる。
【００２２】
図２は、本発明に係る実施例の共通リソースを用いてデータの伝送を行うための方法２００のフローチャートである。方法２００は、アクセス機能を有するネットワークエンティティ（例えば、アクセスネットワークエンティティ）で実行することができる。
【００２３】
Ｓ２１０において、共通リソース構成情報を確定することができる。例えば、アクセスネットワークエンティティは、異なる端末の間で共用することができるデータの伝送リソースを指定することができ、また共通リソース構成情報にこれらの共用リソースを示す。
【００２４】
Ｓ２２０において、１つまたは複数の端末に共通リソース構成情報を送信することができる。例えば、アクセスネットワークエンティティは、ブロードキャストチャネルの方法または専用シグナリングの方法を採用して、共通リソース構成情報を端末に送信することができる。
【００２５】
Ｓ２３０において、共通リソース構成情報に基づいて、１つまたは複数の端末中の第１の端末のデータの伝送を行うことができる。例えば、アクセスネットワークエンティティは、共通リソース構成情報に基づいて、第１の端末にダウンリンクデータを送信することができ、または、アクセスネットワークエンティティは、第１の端末から共通リソース構成情報に基づいて送信されたアップリンクデータを受信することができる。
【００２６】
以下は、図３−図６に示されるインタラクションの概略図に合わせて、本発明に係る共通リソースを用いてデータの伝送を行う例示的な解決手段をさらに具体的に説明する。
【００２７】
図３は、本発明に係る実施例の共通リソースを用いてデータの伝送を行うためのインタラクションの概略図である。図３に示されているインタラクション過程は、共通リソース構成情報について、アクセスネットワークエンティティによって送信され、またアクセスネットワークエンティティが端末１にダウンリンクデータを送信する場面である。
【００２８】
Ｓ３０２において、アクセスネットワークエンティティと、コアネットワークとの間にデータチャネルを確立することができる。
【００２９】
ある場合には、アクセスネットワークエンティティがコアネットワークと、例えば、共用ＧＴＰ-Ｕチャネルのような共通チャネルを確立することができる。この共通チャネルは、アクセスネットワークエンティティとコアネットワークとの間で１つまたは複数の端末のユーザデータ等を伝送するために使用することができる。
【００３０】
他の場合には、アクセスネットワークエンティティとコアネットワークとの間に、例えば、端末１の専用するＧＴＰ-Ｕチャネルのような端末専用チャネルを確立することができる。端末１がネットワークにアタッチされた場合、端末１と、アクセスネットワークエンティティと、コアネットワークとの間の通信により、端末１の専用するＧＴＰ-Ｕチャネルを確立することができる。この端末専用チャネルは、端末１に属するユーザデータ等の伝送に用いることができる。
【００３１】
Ｓ３０４において、アクセスネットワークエンティティは、共通リソース構成情報を確定することができる。前述のように、共通リソース構成情報は、一つの時間周期内に分割される１つまたは複数の構成情報項目を含むことができる。各構成情報項目は、リソース識別子、時間領域リソース、周波数領域リソース、変調符号化方式、伝送ブロックサイズのうちの１つまたは複数を含むことができる。
【００３２】
Ｓ３０６において、アクセスネットワークエンティティは、共通リソース構成情報を端末に送信することができる。選択的に、アクセスネットワークエンティティは、ブロードキャスト方式を採用して、システム情報を用いて共通リソース構成情報をそのカバレッジ範囲内の１つまたは複数の端末に送信することができる。選択的に、アクセスネットワークエンティティは、専用シグナリングを介して、前記１つまたは複数の端末に共通リソース構成情報を送信することもできる。
【００３３】
共通リソース構成情報を受信した後、Ｓ３０８において、端末１は、共通リソース構成情報に基づいて、ダウンリンクデータを受信するための使用可能なリソースを確定することができる。
【００３４】
例えば、端末１は、所定の規則により、ダウンリンクデータを受信するための使用可能なリソースを確定することができる。
【００３５】
まず、端末１は、その端末識別子に基づいて、ダウンリンクデータの伝送が位置する伝送時間周期を確定することができる。例えば、以下の公式１に従って、ダウンリンクデータの伝送が位置する伝送時間周期を確定することができる。
【００３６】
公式１：
Ｔ＿Ｄ  ｍｏｄ  Ｔ＝ＵＥ＿ＩＤ  ｍｏｄ  Ｔ
ここで、Ｔ＿Ｄは伝送時間周期を表し、Ｔは端末１の非連続的な受信周期（例えば、ＤＲＸ）を表し、またＵＥ＿ＩＤは端末識別子を表す。端末識別子は、国際移動ユーザ識別コード（ＩＭＳＩ）、トンネルエンドポイント識別子（ＴＥＩＤ）または端末を識別するために使用できる他の情報であることができる。端末１の非連続受信周期が複数の伝送時間周期が含まれる場合、前記方式に基づいて、端末１は、ダウンリンクデータの伝送が、非連続受信周期中のどの伝送時間周期内に位置するかを知ることができる。
【００３７】
この後、端末１は、端末識別子に基づいて、共通リソース構成情報中の一つの対応する構成情報項目を確定することができる。例えば、以下の公式２に従って、対応する構成情報項目を確定することができる。
【００３８】
公式２：
Ｉ＝ＵＥ＿ＩＤ  ｍｏｄ  Ｎ
ここで、Ｉはリソース識別子を表し、ＵＥ＿ＩＤは端末識別子を表し、Ｎは共通リソース構成情報に含まれる構成情報項目の総数を表す。前記方式に基づいて、端末１は、共通リソース構成情報中の一つの対応する構成情報項目を確定することができ、また、さらに、この対応する構成情報項目に含まれる構成を用いて、ダウンリンクデータの伝送を受信することができる。例えば、端末１は、確定された伝送時間周期内に、ダウンリンクデータの伝送が具体的に例えば、時間領域リソース、周波数領域リソース、変調符号化方式、伝送ブロックサイズ等のようなどのリソースを採用するかを知ることができる。
【００３９】
Ｓ３１０において、端末１は、確定されたダウンリンクデータを受信するための使用可能なリソースをモニタリングすることができる。
【００４０】
Ｓ３１２において、コアネットワークは、アクセスネットワークエンティティとコアネットワークとの間に確立されたデータチャネルを介して、端末１のダウンリンクのユーザデータを、アクセスネットワークエンティティに送信することができる。データチャネルが共通チャネルである場合、ダウンリンクのユーザデータは、端末１の端末識別子を含むことができることによって、アクセスネットワークエンティティが、端末識別子に基づいて、このダウンリンクのユーザデータが端末１に関するものであることを確定することができる。アクセスネットワークエンティティとコアネットワークとの間に確立された端末１の端末専用チャネルを通る時に、アクセスネットワークエンティティがこの端末専用チャネルでこのダウンリンクのユーザデータが受信できることに基づいて、このダウンリンクのユーザデータが端末１に関するものであることを確定することができるため、コアネットワークは、ダウンリンクのユーザデータと一緒に端末識別子を提供する必要がない。
【００４１】
コアネットワークから端末１のダウンリンクのユーザデータを受信した後に、Ｓ３１４において、アクセスネットワークエンティティは、共通リソース構成情報に基づいて、端末１にダウンリンクデータを送信するための使用可能なリソースを確定することができる。アクセスネットワークエンティティは、所定の規則によって、ダウンリンクデータを送信するための使用可能なリソースを確定することができる。例えば、アクセスネットワークエンティティは、コアネットワークから受信したダウンリンクのユーザデータに対応する端末識別子に基づいて、端末１へのダウンリンクデータの伝送が位置する伝送時間周期を確定してから、端末識別子に基づいて、共通リソース構成情報中の一つの対応する構成情報項目を確定することができる。アクセスネットワークエンティティが端末１にダウンリンクデータを送信する使用可能なリソースを確定する具体的な方法は、端末１がＳ３０８においてダウンリンクデータを受信するための使用可能なリソースの方法と同一であり、即ち、アクセスネットワークエンティティは、公式１及び公式２に従って端末１にダウンリンクデータを送信する使用可能なリソースを確定することもできる。
【００４２】
Ｓ３１６において、アクセスネットワークエンティティは、確定された端末１にダウンリンクデータを送信するための使用可能なリソースにて、端末１にダウンリンクデータを送信することができる。このダウンリンクデータは、端末１的端末識別子を含むことができる。例えば、エアインタフェースのレイヤ２データユニットに端末識別子を含ませることができる。
【００４３】
ある場合には、アクセスネットワークエンティティが端末１に送信するダウンリンクデータは、エアインタフェースユーザデータであっても良い。この場合には、使用可能なリソースでベアラされるのは、データシグナルチャネルであっても良い。このエアインタフェースユーザデータは、アクセスネットワークエンティティがコアネットワークから受信した端末１のダウンリンクのユーザデータに基づいて生成されたものであっても良い。さらに、端末１が、アクセスネットワークエンティティからエアインタフェースユーザデータを受信した後に、このエアインタフェースユーザデータと一緒に受信した端末識別子に基づいて、このエアインタフェースユーザデータが自分に送信したものと判断した場合、このエアインタフェースユーザデータに対して処理を行うことができる。
【００４４】
他の場合には、アクセスネットワークエンティティが端末１に送信するダウンリンクデータは、制御情報であることができる。この場合には、使用可能なリソースでベアラされるのは、制御シグナルチャネルであっても良い。制御情報は、端末１に、時間領域リソース、周波数領域リソース、変調符号化方式、伝送ブロックサイズ等のようなエアインタフェースユーザデータを伝送するためのリソース構成を示すことに用いられることができる。従って、アクセスネットワークエンティティは、その後に、制御情報に示されるリソース構成に基づいて端末１にエアインタフェースユーザデータを送信することができる。これに対応して、端末１は、制御情報に示されるリソース構成に基づいて、アクセスネットワークエンティティからエアインタフェースユーザデータを受信することができる。このエアインタフェースユーザデータは、アクセスネットワークエンティティがコアネットワークから受信した端末１のダウンリンクのユーザデータに基づいて生成されたものであることができる。
【００４５】
図４は、本発明に係る実施例の共通リソースを用いてデータの伝送を行うためのインタラクションの概略図である。図４に示されているインタラクションの過程は、共通リソース構成情報がネットワークプロトコルにより事前定義され、しかもアクセスネットワークエンティティは端末１にダウンリンクデータを送信する場面に関するものである。
【００４６】
Ｓ４０２において、アクセスネットワークエンティティとコアネットワークとの間にデータチャネルを確立することができる。このステップは、図３中のＳ３０２での処理と類似する。
【００４７】
Ｓ４０４において、端末１は、ネットワークプロトコルの事前定義に基づいて、共通リソース構成情報を確定することができる。前述のように、共通リソース構成情報は、ネットワークプロトコルにより、事前定義されたものであることができる。そのため、端末１は、ネットワークプロトコルの事前定義から共通リソース構成情報を獲得することができる。
【００４８】
Ｓ４０６において、端末１は、共通リソース構成情報に基づいて、ダウンリンクデータを受信するための使用可能なリソースを確定することができる。このステップは、図３中のＳ３０８での処理と類似する。
【００４９】
Ｓ４０８において、端末１は、確定されたダウンリンクデータを受信するための使用可能なリソースをモニタリングする。このステップは、図３中のＳ３１０での処理と類似する。
【００５０】
Ｓ４１０において、コアネットワークは、アクセスネットワークエンティティとコアネットワークとの間のデータチャネルを介して、端末１のダウンリンクのユーザデータをアクセスネットワークエンティティに送信することができる。このステップは、図３中のＳ３１２での処理と類似する。
【００５１】
Ｓ４１２において、アクセスネットワークエンティティは、ネットワークプロトコルの事前定義に基づいて、共通リソース構成情報を確定することができる。
【００５２】
Ｓ４１４において、アクセスネットワークエンティティは、共通リソース構成情報に基づいて、端末１にダウンリンクデータを送信するための使用可能なリソースを確定することができる。このステップは、図３中のＳ３１４での処理と類似する。
【００５３】
Ｓ４１６において、アクセスネットワークエンティティは、確定された端末１にダウンリンクデータを送信するための使用可能なリソースにて、端末１にダウンリンクデータを送信することができる。このステップは、図３中のＳ３１６での処理と類似する。
【００５４】
図５は、本発明に係る実施例の共通リソースを用いてデータの伝送を行うためのインタラクションの概略図である。図５に示されているインタラクション過程は、共通リソース構成情報がアクセスネットワークエンティティによって送信され、しかも端末１がアクセスネットワークエンティティにアップリンクデータを送信する場面に関するものである。
【００５５】
Ｓ５０２において、アクセスネットワークエンティティとコアネットワークとの間にデータチャネルを確立することができる。Ｓ５０４において、アクセスネットワークエンティティは、共通リソース構成情報を確定することができる。Ｓ５０６において、アクセスネットワークエンティティは、共通リソース構成情報を端末１に送信することができる。Ｓ５０２、Ｓ５０４、Ｓ５０６での処理は、それぞれに図３中のＳ３０２、Ｓ３０４、Ｓ３０６での処理と類似する。
【００５６】
Ｓ５０８において、端末１は、送信する必要のあるアップリンクデータを確定する。
【００５７】
Ｓ５１０において、端末１は、アクセスネットワークエンティティに共通リソース伝送のために専用されるプリアンブルコードを送信することができる。
【００５８】
Ｓ５１２において、端末１から共通リソース伝送のために専用されるプリアンブルコードを受信することに応答して、アクセスネットワークエンティティは、端末１に応答メッセージを返すことができ、この応答メッセージは、アップリンク同期調整情報を含むことができる。
【００５９】
Ｓ５１４において、端末１は、アクセスネットワークエンティティが返した応答メッセージ中のアップリンク同期調整情報に基づいて、アップリンクの同期を調整することができる。
【００６０】
Ｓ５１６において、端末１は、共通リソース構成情報に基づいて、アップリンクデータを送信するための使用可能なリソースを確定することができる。
【００６１】
まず、端末１は、アップリンクデータを送信するための一つの伝送時間周期を確定することができる。例えば、端末１は、Ｓ５１２において受信された応答メッセージの後の一つの伝送時間周期を選ぶことができ、またはいずれの他の方法で選択することができる。
【００６２】
その後、端末１は、この伝送時間周期内にどのようなリソース構成を採用してアップリンクデータを送信するかを確定することができ、即ち、この伝送時間周期内に、共通リソース構成情報中のどの構成情報項目の構成を利用するかを確定することができる。選択的に、端末１は、ランダムで、共通リソース構成情報から一つの構成情報項目を選択することができ、またこの構成情報項目に含まれる構成を、確定される伝送時間周期内にアップリンクデータを送信することに用いられることを確定する。なお、選択的に、端末１は、公式２に示されている方法で、一つの構成情報項目を確定し、さらに、確定される伝送時間周期内にアップリンクデータの構成を送信するための構成として確定することもできる。
【００６３】
Ｓ５１８において、端末１は、アクセスネットワークエンティティにアップリンクデータを送信することができる。アップリンクデータには、端末１的端末識別子を含むことができる。例えば、エアインタフェースのレイヤ２データユニットに端末識別子を含ませることができる。
【００６４】
Ｓ５２０において、端末１からアップリンクデータを受信した後、アクセスネットワークエンティティは、アップリンクデータから端末識別子を識別することができる。
【００６５】
Ｓ５２２において、アクセスネットワークエンティティは、コアネットワークにデータを送信することができ、この送信されたデータは、アクセスネットワークエンティティが端末１から受信されたアップリンクデータに基づいて生成されたものである。アクセスネットワークエンティティとコアネットワークとの間に端末１の端末専用チャネルを確立している場合、アクセスネットワークエンティティは、直接にこの端末専用チャネルにデータを送信することができる。アクセスネットワークエンティティとコアネットワークとの間に確立したデータチャネルが共通チャネルである場合、アクセスネットワークエンティティは、送信されたデータの中に端末１の端末識別子が含まれることができる。
【００６６】
図６は、本発明に係る実施例の共通リソースを用いてデータの伝送を行うためのインタラクションの概略図である。図６に示されているインタラクション過程は、共通リソース構成情報について、ネットワークプロトコルの事前定義によって、また端末１がアクセスネットワークエンティティにアップリンクデータを送信する場面である。
【００６７】
Ｓ６０２において、アクセスネットワークエンティティとコアネットワークとの間にデータチャネルを確立することができる。Ｓ６０４において、端末１は、送信する必要のあるアップリンクデータを確定する。Ｓ６０６において、端末１は、アクセスネットワークエンティティに共通リソース伝送のために専用されるプリアンブルコードを送信する。Ｓ６０８において、端末１から共通リソース伝送のために専用されるプリアンブルコード受信することに応答して、アクセスネットワークエンティティは、端末１に応答メッセージを返すことができ、この応答メッセージは、アップリンク同期調整情報を含むことができる。Ｓ６１０において、端末１は、アクセスネットワークエンティティが返した応答メッセージ中のアップリンク同期調整情報に基づいて、アップリンクの同期を調整することができる。Ｓ６０２、Ｓ６０４、Ｓ６０６、Ｓ６０８、Ｓ６１０での処理は、それぞれに図５中のＳ５０２、Ｓ５０８、Ｓ５１０、Ｓ５１２、Ｓ５１４での処理と類似する。
【００６８】
Ｓ６１２において、端末１は、ネットワークプロトコルの事前定義に基づいて、共通リソース構成情報を確定することができる。
【００６９】
Ｓ６１４において、端末１は、共通リソース構成情報に基づいて、アップリンクデータを送信するための使用可能なリソースを確定することができる。Ｓ６１６において、端末１は、アクセスネットワークエンティティにアップリンクデータを送信することができる。Ｓ６１８において、アクセスネットワークエンティティは、アップリンクデータの中から端末識別子を識別することができる。Ｓ６２０において、アクセスネットワークエンティティは、コアネットワークにデータを送信することができる。Ｓ６１４、Ｓ６１６、Ｓ６１８、Ｓ６２０での処理は、それぞれに図５中のＳ５１６、Ｓ５１８、Ｓ５２０、Ｓ５２２での処理と類似する。
【００７０】
以上は、図３−図６に合わせて記述したインタラクション過程における各ステップの間の実行手順は、単なる例示であり、具体的な利用と実際の需要に応じて、任意の二つのステップとの間の前後手順を調整することができる。
【００７１】
図７は、本発明に係る実施例の通信装置７００の概略図である。
【００７２】
通信装置７００は、共通リソース構成情報を獲得するように構成されるユニット７１０と、共通リソース構成情報に基づいて、データの伝送のための使用可能なリソースを確定するように構成されるユニット７２０と、使用可能なリソースに基づいて、データの伝送を行うように構成されるユニット７３０とを含むことができる。なお、通信装置７００は、本発明の各種の実施例に合わせて記述した端末での方法のステップを実行するための任意の他のユニットをさらに含むことができる。
【００７３】
図８は、本発明に係る実施例の通信装置８００の概略図である。
【００７４】
通信装置８００は、共通リソース構成情報を確定するように構成されるユニット８１０と、１つまたは複数の端末に共通リソース構成情報を送信するように構成されるユニット８２０と、共通リソース構成情報に基づいて、１つまたは複数の端末中の第１の端末のデータの伝送を行うように構成されるユニット８３０を含むことができる。なお、通信装置８００は、本発明の各種の実施例に合わせて記述したアクセスネットワークエンティティの方法のステップを実行するための任意の他のユニットをさらに含むことができる。
【００７５】
図９は、本発明に係る実施例の通信装置９００の概略図である。
【００７６】
通信装置９００は、例えば、端末またはアクセスネットワークエンティティであることができる。通信装置９００は、プロセッサ９１０と、プロセッサ９１０に接続されたメモリ９２０とを含むことができる。メモリ９２０には、プログラム指令が格納されてもよく、プログラム指令が、プロセッサ９１０によって実行される時、通信装置９００が本発明の各種の実施例に合わせて記述した端末またはアクセスネットワークエンティティの方法のステップを実行するようにすることができる。
【００７７】
上記において、本発明のいくつかの実施例を図面に合わせて詳細に記述した。これらの実施例は、任意に組み合わせることができるが、本発明が元から記載した範囲から逸脱することはない。本発明は、開示されているこれらの実施例に限定されず、当業者によってそれから導かれる他の態様も本発明の保護範囲内である。
【００７８】
本発明に関するプロセッサは、例えば、中央処理装置（ＣＰＵ）、マイクロコントローラ、専用集積回路（ＡＳＩＣ）等のようなインテリジェントハードウェア装置を含むことができる。なお、プロセッサは、例えば、エンコーダ、キュー処理モジュール、ベースバンドプロセッサ、無線ヘッドエンドコントローラ、デジタル信号プロセッサ（ＤＳＰ）等のような各種の専用プロセッサを含むことができる。メモリは、ランダムアクセスメモリ（ＲＡＭ）、読み取り専用メモリ（ＲＯＭ）等のような各種のタイプの記憶装置を含むことができる。
【００７９】
本明細書で記述した機能は、ハードウェア、ソフトウェア/ファームウェア、またはそれらの任意の組み合わせで実現することができる。ソフトウェアで実現される場合、これらの機能を、1つまたは複数の指令またはコードとして、コンピュータ読み取り可能な媒体に格納するか、またはコンピュータ読み取り可能な媒体を介して送信することができる。他の例及び実施形態も、また開示されている本明細書および添付した特許請求の範囲の精神および範囲内にある。例えば、ソフトウェア/ファームウェアの性質のため、上述した機能は、例えば、プロセッサによって実行されるソフトウェア、ハードウェア、ファームウェア、ハードワイヤード、またはそれらの組み合わせを使用して実現することができる。機能を実現する特徴は、異なる物理的位置で部分的な機能を達成するために、分散式を含む様々な場所に物理的に配置することもできる。
【００８０】
本開示のこれまでの説明は、当業者が本開示を実施または使用することを可能にするために提供される。本開示に対する様々な変更は、当業者にとっては容易に明らかであり、また、本開示の内容の精神または範囲から逸脱することなく、本明細書にて定義された通常の原理を他の変形に適用されてもよい。本開示の内容を通じて、「例」または「例示的な」という用語は、例または具現例を示すが、言及した例を示唆するものでも、必要とするものでもない。従って、本開示の内容は、本明細書に記載された例および設計に限定されるものではなく、本明細書に開示されている原理と新規な特徴が一致する最も広い範囲に合わせることを意図する。
【図１】
2019515521.tif 000004
【図２】
2019515521.tif 000005
【図３】
2019515521.tif 000006
【図４】
2019515521.tif 000007
【図５】
2019515521.tif 000008
【図６】
2019515521.tif 000009
【図７】
2019515521.tif 000010
【図８】
2019515521.tif 000011
【図９】
2019515521.tif 000012
【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
通信方法であって、
共通リソース構成情報を獲得することと、
前記共通リソース構成情報に基づいて、データの伝送のための使用可能なリソースを確定することと、
前記使用可能なリソースに基づいて、前記データの伝送を行うこととを含む、前記通信方法。
【請求項２】
前記共通リソース構成情報を獲得することは、
ネットワークプロトコルの事前定義に基づいて、前記共通リソース構成情報を確定すること、又は
アクセスネットワークエンティティから前記共通リソース構成情報を受信すること、を含むことを特徴とする
請求項１に記載の方法。
【請求項３】
前記共通リソース構成情報は、一つの時間周期内に分割される１つまたは複数の構成情報項目を含み、各構成情報項目は、リソース識別子、時間領域リソース、周波数領域リソース、変調符号化方式、及び伝送ブロックサイズのうちの１つまたは複数を含むことを特徴とする
請求項１に記載の方法。
【請求項４】
前記データの伝送のための使用可能なリソースを確定することは、
端末識別子に基づいて、前記データの伝送が位置する伝送時間周期を確定することと、
前記端末識別子に基づいて、前記共通リソース構成情報中の一つの対応する構成情報項目を確定することとを含むことを特徴とする
請求項３に記載の方法。
【請求項５】
前記使用可能なリソースに基づいて、前記データの伝送を行うことは、
前記伝送時間周期内に、前記一つの対応する構成情報項目に含まれる構成を用いて、前記データの伝送を行うことを含むことを特徴とする
請求項４に記載の方法。
【請求項６】
前記端末識別子に基づいて、前記データの伝送が位置する伝送時間周期を確定することは、
公式：Ｔ＿Ｄ  ｍｏｄ  Ｔ＝ＵＥ＿ＩＤ  ｍｏｄ  Ｔ
によって行われ、
ここで、Ｔ＿Ｄは前記伝送時間周期を表し、Ｔは端末の非連続受信周期を表し、ＵＥ＿ＩＤは端末識別子を表すことを特徴とする
請求項４に記載の方法。
【請求項７】
前記端末識別子に基づいて、前記共通リソース構成情報中の一つの対応する構成情報項目を確定することは、
公式：Ｉ＝ＵＥ＿ＩＤ  ｍｏｄ  Ｎ
によって行われ、
ここで、Ｉはリソース識別子を表し、ＵＥ＿ＩＤは端末識別子を表し、Ｎは前記共通リソース構成情報に含まれる構成情報項目の総数を表すことを特徴とする
請求項４に記載の方法。
【請求項８】
前記データの伝送のための使用可能なリソースを確定することは、
前記共通リソース構成情報から、ランダムで一つの構成情報項目を確定することを含むことを特徴とする
請求項３に記載の方法。
【請求項９】
前記使用可能なリソースに基づいて、前記データの伝送を行うことは、
前記使用可能なリソースにてダウンリンクデータを受信すること、又は
前記使用可能なリソースにてアップリンクデータを送信すること、を含むことを特徴とする
請求項１に記載の方法。
【請求項１０】
前記ダウンリンクデータは、端末識別子を含み、
前記方法は、
前記端末識別子に基づいて、前記ダウンリンクデータが端末自身に送信されるものであるかどうかを判断することをさらに含むことを特徴とする
請求項９に記載の方法。
【請求項１１】
前記ダウンリンクデータは制御情報であり、前記方法は、
制御情報の指示に従って、エアインタフェースユーザデータを伝送するためのリソース構成を確定することと、
前記リソース構成に基づいて、前記エアインタフェースユーザデータを受信することとをさらに含むことを特徴とする
請求項９に記載の方法。
【請求項１２】
前記使用可能なリソースにてアップリンクデータを送信する前に、
アクセスネットワークエンティティに、共通リソース伝送のために専用されるプリアンブルコードを送信することと、
前記アクセスネットワークエンティティから、アップリンク同期調整情報が含まれる応答メッセージを受信することと、
前記アップリンク同期調整情報に基づいて、アップリンクの同期を調整することとをさらに含むことを特徴とする
請求項１０に記載の方法。
【請求項１３】
通信方法であって、
共通リソース構成情報を確定することと、
前記共通リソース構成情報を、１つまたは複数の端末に送信することと、
前記共通リソース構成情報に基づいて、前記１つまたは複数の端末中の第１の端末とのデータの伝送を行うこととを含む、前記通信方法。
【請求項１４】
コアネットワークとデータチャネルを確立することをさらに含み、
前記データチャネルは、共通チャネル、または端末専用チャネル、またはＧＴＰ-Ｕチャネルであることを特徴とする
請求項１３に記載の方法。
【請求項１５】
通信装置であって、
メモリと、
前記通信装置が請求項１乃至１４のいずれか１項の請求項に記載の方法を実行することができるように、前記メモリーに記憶される指令を実行するように構成されるプロセッサとを含む、前記通信装置。
【国際調査報告】
2019515521.tif 000013
2019515521.tif 000014
2019515521.tif 000015
2019515521.tif 000016